(57)【要約】【課題】ＧＰＳを利用して目的地に近づいたことをユーザーに報知するＧＰＳ内蔵のデジタルカメラ。【解決手段】画像を撮影するカメラ処理部１０１と、現在位置の位置情報を得るＧＰＳ部１０２と、カメラ処理部で得た画像から目的位置の地名を認識する地名認識部１０３と、地名から位置情報を取得する地名位置変換部１０４と、を備えたＧＰＳ内蔵デジタルカメラであって、地名位置変換部１０４で得た目的位置の位置情報とＧＰＳ部１０２で得た現在位置の位置情報とを比較し、現在位置が目的位置の所定の範囲内に入ったときに報知（１０６，１０７）する構成とする。また、前記所定の範囲内に入ったとする基準は、駅数又は距離に基づいて設定する構成とする。【選択図】図１
2005142825.tif 000002
【特許請求の範囲】
【請求項１】
画像を撮影する機能をもつカメラ処理部と、ＧＰＳ衛星からの電波を受信して位置情報を得るＧＰＳ部と、前記カメラ処理部で得た画像から目的位置の地名を認識する地名認識部と、前記地名認識部で得た地名から位置情報を取得する地名位置変換部と、を少なくとも備えたＧＰＳ内蔵デジタルカメラであって、
前記地名位置変換部で得た前記目的位置の位置情報と前記ＧＰＳ部で得た現在位置の位置情報とを比較し、前記現在位置が前記目的位置の所定の範囲内に入ったときに報知する
ことを特徴とするＧＰＳ内蔵デジタルカメラ。
【請求項２】
請求項１において、
前記所定の範囲内に入ったとする基準は、駅数に基づいて設定することを特徴とするＧＰＳ内蔵デジタルカメラ。
【請求項３】
請求項１において、
前記所定の範囲内に入ったとする基準は、距離に基づいて設定することを特徴とするＧＰＳ内蔵デジタルカメラ。
【請求項４】
請求項１において、
前記所定の範囲内に入ったとする基準を駅数とするか距離とするかを選択することを特徴とするＧＰＳ内蔵デジタルカメラ。
【請求項５】
請求項１において、
前記所定の範囲内に入ったとする基準は、駅数をデフォルトとすることを特徴とするＧＰＳ内蔵デジタルカメラ。
【請求項６】
請求項１において、
前記報知する手段は警報音又は振動であることを特徴とするＧＰＳ内蔵デジタルカメラ。
【発明の詳細な説明】
【技術分野】
【０００１】
本発明は、デジタルカメラに係り、特にＧＰＳ（Global Positioning System）を利用して目的地に近づいたことをユーザーに報知するデジタルカメラに関する。
【背景技術】
【０００２】
従来の技術として、乗客が電車やバス等の公共の交通機関を利用する場合、居眠りなどによる乗り過ごしを防止する目的で、目的の場所に到着する直前にアラームを発する技術が提案されている（例えば、特許文献１を参照）。従来のアラーム装置としては予め設定した到着予定時刻にアラームを発する方法がある。
【０００３】
また、上記の特許文献１では、ＧＳＰを利用し、外部入力端子を介してパーソナルコンピュータから入力された目的地までの距離が予め設定された範囲内に入った場合にアラームを発する手段が示されている。
【特許文献１】特開２００１−３２４３５２
【発明の開示】
【発明が解決しようとする課題】
【０００４】
しかし、上述した従来のアラーム装置においては、電車事故や道路状況等によって到着時刻が遅れた場合、目的の場所に到着していないにもかかわらずアラームを発するという課題がある。また、いちいちユーザーが到着時刻を入力しなければならないという課題もある。
【０００５】
一方、上記の特許文献１に記載の技術においては、目的地および距離を入力するためには、パーソナルコンピュータが必要になるという重大な課題がある。また、目的位置の範囲内と判断する基準が、ユーザーにとってあまりなじみのない距離しか設定できないという課題がある。
【０００６】
本発明の目的は、従来技術の課題に鑑みてなされたものであり、目的地の地名を撮影することで目的位置を自動的に認識し、ＧＰＳから得た現在位置が予め設定した目的位置の範囲内に入ったことをユーザーに知らせることが可能なアラーム付きＧＰＳ内蔵デジタルカメラを提供することにある。
【課題を解決するための手段】
【０００７】
前記課題を解決するために、本発明は主として次のような構成を採用する。  
画像を撮影する機能をもつカメラ処理部と、ＧＰＳ衛星からの電波を受信して位置情報を得るＧＰＳ部と、前記カメラ処理部で得た画像から目的位置の地名を認識する地名認識部と、前記地名認識部で得た地名から位置情報を取得する地名位置変換部と、を少なくとも備えたＧＰＳ内蔵デジタルカメラであって、
前記地名位置変換部で得た前記目的位置の位置情報と前記ＧＰＳ部で得た現在位置の位置情報とを比較し、前記現在位置が前記目的位置の所定の範囲内に入ったときに報知する構成とする。
【０００８】
また、前記ＧＰＳ内蔵デジタルカメラにおいて、前記所定の範囲内に入ったとする基準は、駅数又は距離に基づいて設定する構成とする。
【発明の効果】
【０００９】
本発明によれば、目的地の地名を撮影することで自動的に目的地の位置情報を得ることが可能となるので、ＧＰＳから得られる現在地の位置情報と比較することで、予め設定した範囲内に入ったことをユーザー正確に知らせることが可能なアラーム付きＧＰＳ内蔵デジタルカメラが実現できる。
【発明を実施するための最良の形態】
【００１０】
本発明の実施形態に係るアラーム付きＧＰＳ内蔵デジタルカメラについて、図面を参照しながら以下詳細に説明する。図１は本発明の実施形態に係るアラーム付きＧＰＳ内蔵デジタルカメラにおける全体構成を示すブロック図であり、図２は本実施形態に係るアラーム付きＧＰＳ内蔵デジタルカメラにおける地名位置変換部の構成を示す図である。図３は本実施形態に係るアラーム付きＧＰＳ内蔵デジタルカメラにおける出発前の設定を行うフローを示す図であり、図４は本実施形態に係るアラーム付きＧＰＳ内蔵デジタルカメラにおける目的地の位置情報を得るまでのフローを示す図であり、図５は本実施形態に係るアラーム付きＧＰＳ内蔵デジタルカメラにおける現在位置が目的位置の範囲内に入るまでのフローを示す図である。
【００１１】
図１において、アラーム付きＧＰＳ内蔵デジタルカメラは、画像を撮影する機能をもつカメラ処理部１０１、ＧＰＳ衛星からの電波を受信して位置情報を得るＧＰＳ部１０２、前記カメラ処理部１０１で得た画像から地名を認識する地名認識部１０３、地名から位置情報を得る地名位置変換部１０４、各部をコントロールするメイン処理部１０５、アラーム１０６、振動装置１０７、駅数設定部１０８、距離設定部１０９、モード設定部１１０、デフォルト記憶部１１１、距離演算部１１２を備える。尚、ＧＰＳから得る位置情報を現在位置と称し、カメラ撮像部から入力され地名認識部から得る位置情報を目的位置と称する。
【００１２】
まず、図２に基づいて地名位置変換部１０４の構成について説明する。地名位置変換部１０４は、地名、緯度、経度、沿線名、起点からの駅数からなる。図２の例では、上野駅は東経１３９度４６分４３秒、北緯３５度４２分３９秒、ＪＲ東北線、１番目の駅、小山駅は東経１３９度４７分２４秒、北緯３６度１７分４０秒、ＪＲ東北線、１８番目の駅、宇都宮駅は東経１３９度５３分０４秒、北緯３６度３３分３０秒、ＪＲ東北線、２３番目の駅であることがわかる。
【００１３】
次に、出発前の設定（Ｓ１）について図３のフロー図に基づいて説明する。予めユーザーはモード設定部１１０を用いて、そのルート（路線）に応じて目的位置の範囲内とする基準として「駅数」を用いるか「距離」を用いるかを選択する（Ｓ２）。「駅数」を選択した場合、駅数設定部１０８を用いて目的位置の何駅前になったらユーザーに知らせるかを設定する（Ｓ３）。一方、「距離」を選択した場合、距離設定部１０９を用いて目的位置の何メートル以内になったらユーザーに知らせるかを設定する（Ｓ４）。また、ユーザーが何も設定しない場合は、目的位置の範囲内とする基準として「駅数」を用いて、デフォルト記憶部１１１に記憶された駅数前になったらユーザーに知らせるものとする（Ｓ５）。
【００１４】
次に、目的地の位置情報を得るまでの動作について図４のフロー図に基づいて説明する。ここでは、切符に目的地の地名（例えば、宇都宮駅とする）がＱＲコード（２次元バーコードの一種）として印刷されているものとする。
【００１５】
まず、ユーザーが、本実施形態におけるカメラのレンズを切符に印刷されたＱＲコードに向けて、シャッターボタン（図示せず）を押すと（Ｓ２０）、メイン処理部１０５がカメラ処理部１０１を起動してＱＲコードを撮影する（Ｓ２１）。次に、メイン処理部１０５は地名認識部１０３を起動し、撮影したＱＲコードから目的地の地名を得る（Ｓ２２）。更に、目的地の地名と地名位置変換部１０４から目的地の位置情報（＝目的位置）を得る（Ｓ２３）。
【００１６】
ここでは、目的地の地名のみがＱＲコードとして切符に印刷されているものとして説明したが、地名の他に、地名位置変換部１０４に記録されているような内容（緯度、経度、沿線名、起点からの駅数）がＱＲコードとして印刷されている場合は本発明の地名位置変換部１０４は不要となり、ＱＲコードを撮影するだけで目的位置を得ることができる。また、地名認識部１０３にＯＣＲ機能を持たせて目的地の地名そのものを撮影し、文字認識を行い目的地の地名を得て、地名位置変換部１０４から目的位置を得るような構成にしても良い。
【００１７】
最後に、現在位置が目的位置の範囲内に入るまでの動作について図５のフロー図に基づいて説明する。まず、ユーザーが目的位置の範囲内とする基準として「駅数」を選択し（Ｓ３０）、例えば、５駅前になったらユーザーに知らせる設定を行った場合の説明を行う。移動中、メイン処理部１０５は一定周期毎にＧＰＳ部１０２から現在位置を得る（Ｓ３１）。同時に現在位置が目的位置の範囲内に入っているかどうかは判定する（Ｓ３２）。
【００１８】
ここでは、目的地である宇都宮駅の５駅前である小山駅の緯度・経度と比較することになる。つまり、現在位置が小山駅の緯度・経度と一致した場合、メイン処理部１０５は目的位置の範囲内に入ったと判定し、アラーム１０６および振動装置１０７を起動しユーザーに知らせる（Ｓ３６）。
【００１９】
一方、ユーザーが目的位置の範囲内とする基準として「距離」を選択し、例えば、１Ｋｍ以内になったらユーザーに知らせる設定を行った場合の説明を行う。移動中、メイン処理部１０５は一定周期毎にＧＰＳ部１０２から現在位置を得る（Ｓ３３）。同時に現在位置および目的位置を距離演算部１１２に入力する（Ｓ３４）。メイン処理部１０５は距離演算部１１２で計算された距離Ａと予め設定された範囲内と判定する距離Ｂを比較し（Ｓ３５）、距離Ａの方が小さくなった時点でアラーム１０６および振動装置１０７を起動しユーザーに知らせる（Ｓ３６）。
【図面の簡単な説明】
【００２０】
【図１】本発明の実施形態に係るアラーム付きＧＰＳ内蔵デジタルカメラにおける全体構成を示すブロック図である。
【図２】本実施形態に係るアラーム付きＧＰＳ内蔵デジタルカメラにおける地名位置変換部の構成を示す図である。
【図３】本実施形態に係るアラーム付きＧＰＳ内蔵デジタルカメラにおける出発前の設定を行うフローを示す図である。
【図４】本実施形態に係るアラーム付きＧＰＳ内蔵デジタルカメラにおける目的地の位置情報を得るまでのフローを示す図である。
【図５】本実施形態に係るアラーム付きＧＰＳ内蔵デジタルカメラにおける現在位置が目的位置の範囲内に入るまでのフローを示す図である。
【符号の説明】
【００２１】
１０１  カメラ処理部
１０２  ＧＰＳ部
１０３  地名認識部
１０４  地名位置変換部
１０５  メイン処理部
１０６  アラーム
１０７  振動装置
１０８  駅数設定部
１０９  距離設定部
１１０  モード設定部
１１１  デフォルト記憶部
１１２  距離演算部
【図１】
2005142825.tif 000003
【図２】
2005142825.tif 000004
【図３】
2005142825.tif 000005
【図４】
2005142825.tif 000006
【図５】
2005142825.tif 000007